(57)【要約】【課題】ケース内に収納されたコンデンサ素子の固定機能による耐振動性を向上させ、コンデンサの信頼性を高めることにある。【解決手段】陽極側および陰極側の電極箔（陽極箔２２、陰極箔２６）がセパレータ（２８）を介して積層され、一端側に端子部品（外部端子８Ａ、８Ｂ）が接続されたコンデンサ素子（６）と、前記コンデンサ素子が収納されるとともに封口体（１０）により封口され、前記コンデンサ素子の側面に向かって加締められた少なくとも２つの加締め部（１８Ｂ、１８Ｃ）を有し、これら加締め部で前記コンデンサ素子を保持するケース（外装ケース４）と、前記加締め部は、前記コンデンサ素子の長さ方向に設定された間隔を設けて形成され、前記コンデンサ素子の素子端面側に形成されている。【選択図】    図１
2016046388.tif 000002
【特許請求の範囲】
【請求項１】
陽極側および陰極側の電極箔がセパレータを介して積層され、一端側に端子部品が接続されたコンデンサ素子と、
前記コンデンサ素子が収納されるとともに封口体により封口され、前記コンデンサ素子の側面に向かって加締められた少なくとも２つの加締め部を有し、これら加締め部で前記コンデンサ素子を保持するケースと、
を備え、
前記加締め部は、前記コンデンサ素子の長さ方向に設定された間隔を設けて形成され、前記コンデンサ素子の素子端面側に形成されていることを特徴とするコンデンサ。
【請求項２】
前記加締め部は、前記電極箔の各端面側から少なくとも加締め溝の幅分の距離を離間させることを特徴とする請求項１に記載のコンデンサ。
【請求項３】
前記加締め部は、前記コンデンサ素子の長手方向の中心位置又は前記コンデンサ素子の重心位置を挟む位置に形成されることを特徴とする請求項１または請求項２に記載のコンデンサ。
【請求項４】
前記コンデンサ素子は、一端面側に、前記電極箔の積層部分内部において各電極箔に接続した端子部品が接続され、
前記加締め部は、前記ケースに収納された前記コンデンサ素子内の前記端子部品の配置位置に重なる前記ケースの周面部分が加締められた第１の加締め部と、前記コンデンサ素子内で前記端子部品は配置されない位置の前記ケースの周面部分が加締められた第２の加締め部とを備えることを特徴とする請求項１から請求項３のいずれかに記載のコンデンサ。
【請求項５】
陽極側および陰極側の電極箔がセパレータを介して積層され、一端側に端子部品が接続されたコンデンサ素子を形成する工程と、
前記コンデンサ素子が収納されるとともに封口体により封口され、前記コンデンサ素子の側面に向かって加締められた少なくとも２つの加締め部を有し、これら加締め部で前記コンデンサ素子を保持するケースに加工する工程と、
前記加締め部が、前記コンデンサ素子の長さ方向に設定された間隔を設けて形成され、前記コンデンサ素子の素子端面側に形成される工程を含むことを特徴とするコンデンサの製造方法。
【発明の詳細な説明】
【技術分野】
【０００１】
本開示の技術はコンデンサおよびその製造方法に関し、ケースに封入されるコンデンサ素子の固定技術に関する。
【背景技術】
【０００２】
電解コンデンサや電気二重層コンデンサなどのコンデンサは、コンデンサ素子がケース内に収納されている。コンデンサは、自動車などに搭載されるものが増えてきており、激しい振動が継続的に作用することになる。車載されたコンデンサでは、たとえばケースとコンデンサ素子、またはコンデンサ素子と接続したリード端子などが振動により一部に大きな力を受けることで破損するおそれがある。そのためコンデンサでは、ケース内部に固定材を封入するものや、ケース側面を加締めてケースとコンデンサ素子とを一体化させて固定するものが知られている。
【０００３】
このようなコンデンサに関し、金属ケースの側面の一部を押圧して加締めることでコンデンサ素子とケースとを接触させ、固定するものがある（たとえば特許文献１、２）。
【先行技術文献】
【特許文献】
【０００４】
【特許文献１】実開昭６４−０２６８３０号公報
【特許文献２】特開２００８−１０９０７４号公報
【発明の概要】
【発明が解決しようとする課題】
【０００５】
ところで、コンデンサでは、たとえば耐振動性を向上させるために、ケース内に収納されたコンデンサ素子の配置位置に合せて、２箇所に加締め処理が施されるものがある。このときコンデンサは、たとえば２つの加締め位置をコンデンサ素子の中心付近で接近させた場合、搭載された機器の振動に対し、加締め部を軸としてコンデンサ素子の端部側が振動するおそれがある。すなわち近接した２箇所で加締められた場合、コンデンサ素子は、端面側が加締め位置から離間するために片持ち梁の状態となり、外部から加えられた振動によって加締め位置を支点にしてケース内で揺れる、所謂シーソー現象が生じる。従って、コンデンサの加締め処理では、２つの加締め位置を離間させることが望ましい。
【０００６】
また、コンデンサ素子を形成する電極箔には、たとえば切断加工時に端面部分に切れ端であるバリが生じる場合がある。コンデンサの製造処理では、加締め部間を離間させるために、バリが生じた端面部分を加締めた場合、このバリが押圧されることで電極箔間に介在させたセパレータが損傷するおそれがある。
【０００７】
そのほか、コンデンサでは、固定強度を上げるために加締め数を増加させた場合、コンデンサ素子に対する押圧負荷が増加することで、電極箔に対する機械的なストレスにより電気的特性に影響を与えるおそれがある。
【０００８】
そこで、本開示のコンデンサおよびその製造方法の目的は、ケース内に収納されたコンデンサ素子の固定機能による耐振動性を向上させ、コンデンサの信頼性を高めることにある。
【課題を解決するための手段】
【０００９】
上記目的を達成するため、本発明のコンデンサの一側面によれば、陽極側および陰極側の電極箔がセパレータを介して積層され、一端側に端子部品が接続されたコンデンサ素子と、前記コンデンサ素子が収納されるとともに封口体により封口され、前記コンデンサ素子の側面に向かって加締められた少なくとも２つの加締め部を有し、これら加締め部で前記コンデンサ素子を保持するケースとを備え、前記加締め部は、前記コンデンサ素子の長さ方向に設定された間隔を設けて形成され、前記コンデンサ素子の素子端面側に形成されている。
【００１０】
上記コンデンサにおいて、前記加締め部は、前記電極箔の各端面側から少なくとも加締め溝の幅分の距離を離間させてもよい。
【００１１】
上記コンデンサにおいて、前記加締め部は、前記コンデンサ素子の長手方向の中心位置又は前記コンデンサ素子の重心位置を挟む位置に形成させてもよい。
【００１２】
上記コンデンサにおいて、前記コンデンサ素子は、一端面側に、前記電極箔の積層部分内部において各電極箔に接続した端子部品が接続され、前記加締め部は、前記ケースに収納された前記コンデンサ素子内の前記端子部品の配置位置に重なる前記ケースの周面部分が加締められた第１の加締め部と、前記コンデンサ素子内で前記端子部品は配置されない位置の前記ケースの周面部分が加締められた第２の加締め部とを備えてもよい。
【００１３】
上記目的を達成するため、本発明のコンデンサの製造方法によれば、陽極側および陰極側の電極箔がセパレータを介して積層され、一端側に端子部品が接続されたコンデンサ素子を形成する工程と、前記コンデンサ素子が収納されるとともに封口体により封口され、前記コンデンサ素子の側面に向かって加締められた少なくとも２つの加締め部を有し、これら加締め部で前記コンデンサ素子を保持するケースに加工する工程と、前記加締め部が、前記コンデンサ素子の長さ方向に設定された間隔を設定して形成され、前記コンデンサ素子の素子端面側に形成される工程を含んでいる。
【発明の効果】
【００１４】
本開示のコンデンサまたはその製造方法によれば、次のいずれかの効果が得られる。
【００１５】
(1) ケースとコンデンサ素子との固定性を高め、外部からの振動に対してコンデンサ素子や端子部品の破損を防止し、コンデンサ機能を維持させることができる。
【００１６】
(2) 陽極箔にバリが生じていても、そのバリが存在しない部分でコンデンサ素子の加締めを行うので、陽極箔のバリによる陰極箔との接触短絡を回避でき、コンデンサの信頼性を高められる。
【００１７】
(3) 外部からの振動に対して、ケース内でのコンデンサ素子の振動を抑制させるので、外部の部品に接続した端子部品に対する負荷を軽減できる。
【図面の簡単な説明】
【００１８】
【図１】コンデンサの構成例を示す図である。
【図２】コンデンサ素子の構成例を示す図である。
【図３】電極箔に対する加締め位置の設定例を示す図である。
【図４】外装ケースに対する加締め処理の一例を示す図である。
【発明を実施するための形態】
【００１９】
＜一実施の形態＞
【００２０】
図１はコンデンサの構成例を示している。図１に示すコンデンサ２の構成は、本開示のコンデンサおよびその製造方法の一例である。
【００２１】
このコンデンサ２は、アルミニウムなどの金属などが用いられた外装ケース４にコンデンサ素子６が収納されている。外装ケース４は、本開示のケースであり、内部にコンデンサ素子６を収納する収納部３を含むコンデンサ２の外装部材の一例である。外装ケース４は、たとえば有底筒状である、筒状部分にコンデンサ素子６のほか、図示しない電解液などが収納される。また、外装ケース４は、アルミニウムなどの金属のほか、マンガンやマグネシウムが添加されたアルミニウム合金などを含む硬質材料が利用される。硬質材料からなる外装ケース４を用いることで、高温度環境下でコンデンサ２を使用した場合においても、熱によって加締め部１８Ｂ、１８Ｃが緩むことはなく、固定力を維持できる。
【００２２】
コンデンサ素子６は、たとえば陽極側および陰極側の電極箔がセパレータを介して積層され、円柱形状である。コンデンサ素子６の一端側には、陽極側および陰極側の外部端子８Ａ、８Ｂが設置されている。外部端子８Ａ、８Ｂは、基板などに形成された電気回路に対して電気的に接続される端子部品の一例であり、その一端側たとえば、接続部１６Ａがコンデンサ素子６の内部にあり、それぞれがコンデンサ素子６の電極箔に接続され、他端側をコンデンサ素子６の端面側から外部に突出させている。
【００２３】
外装ケース４の開口部５側には、封口体１０が設置されて収納部３を封止している。封口体１０は、本開示の封口体の一例であり、たとえばゴムなどの弾性体であり、収納部３に対する空気や水分などを遮断している。
【００２４】
封口体１０は、収納部３を封口する平面部分の一部に外部端子８Ａ、８Ｂを貫通させている。具体的には、この封口体１０には、外部端子８Ａ、８Ｂの突出位置に合せて貫通孔１２があり、外部端子８Ａ、８Ｂを外部に露出させる。この貫通孔１２は、たとえば外部端子８Ａ、８Ｂの一部にある径大部１４の外周面に密着する大きさで開口しており、収納部３内の密閉性が維持される。そのほか封口体１０は、たとえば外装ケース４の開口部分に対するカーリング処理により、開口端部側の一部を押圧している。
【００２５】
コンデンサ２は、外装ケース４の外周面を周方向に沿って押圧して変形させた加締め部１８が形成されている。加締め部１８は、外装ケース４の一部を押圧して収納部３側に変形させることでコンデンサ素子６の一部や封口体１０を押圧し、外装ケース４と封口体１０またはコンデンサ素子６とを一体化させて固定する。加締め部１８には、封口体１０の側面側にある加締め部１８Ａと、コンデンサ素子６の電極箔側と重なる位置であって、外装ケース４の開口部側に近い位置を加締める加締め部１８Ｂ、外装ケース４の底部側に近い位置を加締める加締め部１８Ｃが含まれる。
【００２６】
加締め部１８Ａは、封口体１０を外部から押圧することで外装ケース４の側面と一体化させるとともに、外装ケース４を封口体１０の側面に対して所定の圧力で圧接させることで、開口部５の封止性を高める。
【００２７】
加締め部１８Ｂは、第１の加締め部の一例であり、コンデンサ素子６の電極箔の一端側に近い位置を押圧して、コンデンサ素子６を固定する。この加締め部１８Ｂは、コンデンサ素子６の電極箔とセパレータの積層部分と外部端子８Ａ、８Ｂとが重なる位置に設定される。さらにこの加締め部１８Ｂは、電極箔に配置された外部端子８Ａ、８Ｂの先端部分に重ならない位置に設定すればよい。
【００２８】
加締め部１８Ｃは、第２の加締め部の一例であり、外装ケース４の底部側に配置されるコンデンサ素子６の端部に近い位置を押圧して、収納部３内にコンデンサ素子６を固定させる。また、この加締め部１８Ｃは、コンデンサ素子６に対し、電極箔と外部端子８Ａ、８Ｂが重ならない位置に設定すればよい。
【００２９】
このコンデンサ２では、外装ケース４の側面上において、第１の加締め部１８Ｂと第２の加締め部１８Ｃとを離間させた位置にある。加締め部１８Ｂと加締め部１８Ｃの離間距離は、収納部３内のコンデンサ素子６の電極箔幅などによって決まる。
【００３０】
＜コンデンサ素子の構成例について＞
【００３１】
コンデンサ素子６は、たとえば図２に示すように、陽極箔２２と陰極箔２６にそれぞれセパレータ２８が介在されて積層状態となっている。そして、コンデンサ素子６は、陽極箔２２、陰極箔２６とセパレータ２８とを積層状態のまま柱状に巻回し、その外周部分に巻止めテープ３０（図３）が巻回された円柱形状である。この巻止めテープ３０は、たとえば紙や絶縁性のテープなどであって、少なくとも電極箔と同等の幅であり、電極箔の周囲が覆われる。つまりコンデンサ２では、巻止めテープ３０が巻き付けられた範囲内に加締め部１８Ｂ、１８Ｃがある。このようにすることで、巻止めテープ３０が加締め処理によりコンデンサ素子６が押圧された場合の緩衝材となり、電極箔やセパレータ２８への影響を低減できる。なお、巻止めテープ３０は複数周巻回されているとより好ましい。コンデンサ素子６の外周に巻止めテープ３０の積層によるテープ層あることで、加締め部１８Ｂ、１８Ｃがコンデンサ素子６を押圧しても、巻止めテープ３０層が緩衝材となり、電極箔やセパレータ２８への影響をより低減させることができる。巻止めテープ３０層の厚さとしては、２００〜６００〔μｍ〕が好ましい。２００〔μｍ〕未満の場合、加締め処理による押圧力からの緩衝作用の効果は低く、６００〔μｍ〕を超えると、収納する外装ケース４を大きくしなければならず、小型化を阻害する。
【００３２】
陽極箔２２および陰極箔２６は、たとえば化成被膜が形成されたアルミニウム箔が用いられる。さらに陽極箔２２には、たとえばアルミニウム箔の長さ方向に沿って側面部分に切断によるバリ２４が残留している。陽極箔２２の加工処理では、たとえばコンデンサ素子６の高さよりも幅広なアルミニウム箔に対し、表面側にエッチング処理や化成被膜処理を施した後に、所定幅に切断処理が行われる。そのため陽極箔２２には、側面部分や端面部分となる切断面に沿って、切断刃による破断などによりバリ２４が残留する可能性がある。
【００３３】
陽極箔２２には、必ずバリ２４が残留するとは限らず、切断面が平面状になってバリ２４が生じない場合がある。また、陽極箔２２は、必ず両側面側にバリ２４が生じる場合に限られず、たとえば一方の側面にのみバリ２４が生じ場合もある。またバリ２４の発生は、たとえば陽極箔２２を切断する方向への力の作用状態や、陽極箔２２に対する加工時の引張り力の変化などにより生じる。
【００３４】
コンデンサ素子６には、巻回により端面２０Ａ、２０Ｂがあり、その一端側であって、外装ケース４に対して開口部５側に向けて配置される一端に外部端子８Ａ、８Ｂが設置される。この外部端子８Ａ、８Ｂは、アルミニウムなどの金属が用いられ、円柱状の金属体である。この金属体の一端には外部と接続可能なリード線が接続され、その他端に電極箔と接続可能な接続部が形成されている。この接続部は、一例として、扁平形状の接続部１６Ａ、１６Ｂであり、それぞれの電極箔に対して冷間圧接やステッチ接続、超音波接続などにより接続状態となっている。すなわちこの接続部１６Ａ、１６Ｂの平板部分には、たとえば電極箔やセパレータ２８との接触面が形成されていることで接続箇所が確保されている。
【００３５】
コンデンサ２は、外装ケース４の収納部３の開口径よりも径小に巻回されたコンデンサ素子６や、電解液などを収納部３に収納したのち、封口体１０が外装ケース４の開口部側に配置される。そして、コンデンサ２は、封口体１０の周面に沿って加締め処理を行ったのち、コンデンサ素子６に対する加締め処理が行われる。
【００３６】
＜加締め位置の設定について＞
【００３７】
図３は、加締め処理が施されたコンデンサ素子６の押圧部の一部を拡大して示している。
【００３８】
コンデンサ素子６は、セパレータ２８の幅が陽極箔２２や陰極箔２６よりも幅広であり、陽極箔２２と陰極箔２６とを直接接触させない状態である。このとき陽極箔２２は、バリ２４が陽極箔２２の平面部分に対して交差方向に突出した状態となっている。そのため、陽極箔２２は、側面側の端面の部分Ｄ１、Ｄ２においてセパレータ２８の平面部分にバリ２４が接触し、または食い込んだ状態となる。セパレータ２８は、コンデンサ素子６が巻回されることで、バリ２４によって押圧される。また、陽極箔２２は陰極箔２６よりも幅広に形成される。そのため、たとえ、バリ２４がセパレータ２８を貫通したとしても、バリ２４の対向部分には陰極箔２６が存在しないので、短絡を防止し、コンデンサ２の信頼性をより高められる。
【００３９】
そこで、コンデンサ素子６の製造処理では、たとえば端面部分Ｄ１、Ｄ２から少なくとも所定距離Ｘ１、Ｘ２よりも内側の位置Ｐ１、Ｐ２に加締め部１８Ｂ、１８Ｃがある。またコンデンサ素子６は、加締め部１８Ｂ、１８Ｃをコンデンサ素子６の側面に沿って離間させたほうがよい。加締め部１８Ｂ、１８Ｃ間の距離Ｘ３は、本開示のコンデンサ素子６の長さ方向に設定された間隔の一例であり、電極箔の端面部分Ｄ１、Ｄ２からの距離Ｘ１、Ｘ２に基づいて設定される。この所定距離Ｘ１、Ｘ２は、たとえば加締め処理によって形成される加締め溝の幅と同等の距離が設定されればよい。このようにすれば、コンデンサ素子６に加締め処理が施されても、バリ２４が押圧されることを確実に回避することができる。
【００４０】
このように、電極箔の端面側に近い位置Ｐ１、Ｐ２を加締めることで、収納部３内に対して加締め位置である位置Ｐ１、Ｐ２を基準にコンデンサ素子６の外装ケース４側面方向への力が作用するのを抑えることができるほか、バリ２４や、このバリ２４に対向するセパレータ２８がコンデンサ素子６の加締め処理で押圧されないので、バリ２４がセパレータ２８を突き破ることがなく、陰極箔２６との短絡が生じるなどの不都合を回避できる。
【００４１】
＜外装ケース４に対する加締め処理について＞
【００４２】
コンデンサ２に対する加締め処理では、加締め位置は、たとえば予め設定されたコンデンサ素子６の長さＬ１や封口体１０の高さ情報、外装ケース４の長さＬ２などに基づいて設定される。またこれらの高さ情報や長さ情報は、たとえばコンデンサ素子６や封口体１０を外装ケース４に封入する直前に、それぞれ測定してもよい。
【００４３】
そしてコンデンサ２は、図４に示すように収納部３内に収納されたコンデンサ素子６の端面の位置について、各部品の大きさ情報の組み合わせによって把握される。そして加締め位置Ｐ１、Ｐ２の設定では、陽極箔２２の端部が配置されるケース位置に対し、コンデンサ素子６の中央側に向けて所定距離Ｘ１、Ｘ２分を内側にずらした位置に設定される。
【００４４】
この加締めの位置Ｐ１、Ｐ２を定める所定距離Ｗ１、Ｗ２は、たとえば陽極箔２２の各端面から加締め位置までの距離Ｘ１、Ｘ２に、陽極箔２２の端面からセパレータ２８の端面までの距離を加えた値である。セパレータ２８の端面と陽極箔２２の端面の差が少ない場合には、距離Ｘ１、Ｘ２を利用して加締め位置を設定してもよい。また、所定距離Ｗ１、Ｗ２は、たとえば巻回されたコンデンサ素子６の重心位置または中心位置を挟んで等間隔に設定されてもよい。そのほか、加締め位置Ｐ１、Ｐ２は、たとえばコンデンサ素子６が外装ケース４に封入されて完成したコンデンサ２の重心位置や、外装ケース４の中心位置を挟んで等間隔をとった位置に設定されてもよい。
【００４５】
この実施形態では、外装ケース４とコンデンサ素子６の端面との間に間隔Ｘを設定しているが、この間隔Ｘを設定したことで、コンデンサ素子６の加締めによる変形を許容することができ、コンデンサ素子６に生じる変形応力を低減できる。この間隔Ｘを設定することなく、コンデンサ素子６の端面を外装ケース４の底面に密着させてもよい。
【００４６】
＜一実施の形態の機能および効果＞
【００４７】
(1) このコンデンサ２では、コンデンサ素子６の端面部分を加締め処理により押圧させないように形成される。具体的には、コンデンサ２では、陽極箔２２の端面から中央側にずらした位置に加締め部１８Ｂ、１８Ｃが設定される。これにより、陽極箔２２の端面に形成されたバリ２４に過大な押圧力が加えられないので、電極箔やセパレータ２８を損傷するのを防止し、コンデンサ２の信頼性が高められる。
【００４８】
(2) コンデンサ２は、コンデンサ素子６の側面部分に対し、少なくとも２箇所を加締めて外装ケース４と一体化させることで支持強度が高められ、基板などに接続された外部端子８Ａ、８Ｂの一部が振動や部分的に過大な負荷が作用して破断するのを阻止できる。
【００４９】
(3) また、コンデンサ素子６の側面側に対し、加締め部１８Ｂ、１８Ｃを一定距離離間させることで、この加締め部１８Ｂ、１８Ｃを基準に、収納部３内において、コンデンサ素子６が加締め部１８Ｂ、１８Ｃを支点に振動せず、固定強度を高めることができる。つまり、加締め部によるコンデンサ素子６を支持する箇所を集中させた場合、加締め部を支点にコンデンサ素子６が振動し、外部端子８Ａ、８Ｂに振動により生じる応力が集中し、破断するおそれがある。しかしながら、コンデンサ素子６の上下端側を加締めることで、加締め部を離間させ、コンデンサ素子６の収納部３内での振動を抑制することができる。このとき、コンデンサ２の重心を挟む位置に加締め部１８Ｂ、１８Ｃがあるとよい。重心を挟むようにコンデンサ素子６を押圧固定することで、外装ケース４内でのコンデンサ素子６の振動をより防止できる。これらの加締め部１８Ｂ、１８Ｃの位置により、外装ケース４内部でのコンデンサ素子６の支持強度などが決まる。
【００５０】
(4) 外装ケース４内にコンデンサ素子６と封口体１０を収納し、コンデンサ素子６側の加締め処理の前に封口体１０の周面側に加締め処理が行われる。これによりコンデンサ２は、収納部３内のコンデンサ素子６の振動範囲を制限でき、加締め位置の特定や押圧処理を精度よく行うことが可能となる。
【００５１】
(5) コンデンサ素子６の周面には、外部端子８Ａ、８Ｂの接続部１６Ａ、１６Ｂ上を押圧する第１の加締め部１８Ｂと、接続部１６Ａ、１６Ｂが接続されないケース位置を押圧する第２の加締め部１８Ｃのいずれか一方または両方がある。
【００５２】
(6) 加締め部１８Ｂ、１８Ｃは、陽極箔２２の各端面側から少なくとも加締め溝の幅分の距離を離間させればよい。
【００５３】
〔他の実施の形態〕
【００５４】
(1) このコンデンサ２は、電解コンデンサや電気二重層コンデンサだけでなく、各種のコンデンサやその他の蓄電素子にも適用することができる。
【００５５】
(2) 上記実施の形態では、第１の加締め部１８Ｂがコンデンサ素子６内部の外部端子８Ａ、８Ｂの接続部１６Ａ、１６Ｂと重なる位置を押圧して加締める場合を示したがこれに限られない。第１の加締め部１８Ｂは、たとえば、接続部１６Ａ、１６Ｂと重ならない位置を加締めてもよい。
【００５６】
斯かる構成によれば、外部端子８Ａ、８Ｂが電極箔内に介在することによるコンデンサ素子６の周面外径の変化によって押圧力がばらつくのを防止できる。
【００５７】
また、金属製の板状である接続部１６Ａ、１６Ｂの角部や縁部を押圧して、接続部１６Ａ、１６Ｂの角部や縁部を基点に電極箔が折れ曲がるおそれを防止する。
【００５８】
(3) この加締め部１８Ｂ、１８Ｃは、外部端子８Ａ、８Ｂの接続部１６Ａ、１６Ｂの先端部分に重なる位置を加締めないように設定される。そしてコンデンサ２では、扁平形状や四角柱状の先端部分において、その角部を押圧させないことで、電極箔やセパレータ２８の損傷を防止でき、コンデンサの信頼性が高められる。
【００５９】
(4) コンデンサ２では、加締め部１８Ｂ、１８Ｃの加締め深さ（加締め量）を全て同等の値に設定してもよく、または加締め対象の状態に応じて加締め深さを異ならせてもよい。
【００６０】
これにより、コンデンサ２は、コンデンサ素子６が受ける加締め負荷が、その加締め深さに応じて安定化できるので、電極箔の一部に過大な負荷を作用させない。コンデンサ２では、外部端子８Ａ、８Ｂが配置されている部分のコンデンサ素子６の素子径と、外部端子８Ａ、８Ｂが配置されていないコンデンサ素子６の素子径が異なっていることがある。これは、接続部１６Ａ、１６Ｂの有無によるものである。そこで、接続部１６Ａ、１６Ｂが配置されている高さ方向に対する位置にある加締め部１８Ｂを、接続部１６Ａ、１６Ｂが配置されていない高さ方向に対する位置にある加締め部１８Ｃより浅くしてもよい。このようにすれば、素子径が異なる場合においても、コンデンサ素子６に対する押圧力を一定することができる。すなわち、接続部１６Ａ、１６Ｂが配置され素子径が大きい部分を固定する加締め部１８Ｂの深さを、接続部１６Ａ、１６Ｂが配置されず素子径が小さい部分を固定する加締め部１８Ｃに合わせた場合、加締め部１８Ｂにおいては、押し込み量が多いため、コンデンサ素子６への押圧力は大きくなり、電極箔やセパレータ２８が損傷するおそれが大きくなる。また、加締め部１８Ｃを加締め部１８Ｂに合わせた場合、加締め部１８Ｃにおいては、押し込み量が少ないため、コンデンサ素子６への押圧力を十分に得ることができず、固定性が不十分となることがある。加締め部１８Ｂ、１８Ｃを形成する高さ位置のコンデンサ素子６の素子径に応じて加締め部１８Ｂ、１８Ｃの深さを変えれば、素子径の大きさに関係なく、一定の押圧力をもってコンデンサ素子６を支持できる。なお、加締め部１８Ｂ、１８Ｃの深さは、加締め処理を施す高さ位置のコンデンサ素子６の素子径を測定し、計算することで求めればよい。
【００６１】
(5) 上記実施の形態では、コンデンサ素子６の周面に対して２つの加締め部１８Ｂ、１８Ｃがある場合を示したが、これに限られない。加締め部は、３つ以上あってもよい。この場合、加締め処理では、加締め位置の最低値として、コンデンサ素子６の側面に対して最も端面側に形成する加締め部について、陽極箔２２の各端面からそれぞれ、一定距離分中央側にずらして加締めればよい。
【００６２】
(6) 加締め部１８Ｂ、１８Ｃのコンデンサ素子６を押圧する部分が平坦面であってもよい。このようにコンデンサ素子６の押圧部の形状を平坦面にすることで、コンデンサ素子６への押圧力が部分的に集中することなく、均一に与えることが可能となり、電極箔やセパレータ２８の破損が生じにくい。また、コンデンサ素子６の押圧面が広いため、コンデンサ素子６を支持する面積が大きく、固定性も向上する。
【００６３】
(7) 加締め部１８Ｂ、１８Ｃのコンデンサ素子６を押圧する部分を平坦面にする際に外装ケース４を硬質ケースにしてもよい。押圧部分を平坦面にした場合には加締め溝の側面部分が金属の延伸により薄くなることを防止できる。
【００６４】
(8) 上記実施の形態では、巻止めテープ３０の幅を電極箔と同等としたが、これに限らない。巻止めテープ３０は、コンデンサ素子６の加締め部１８Ｂ、１８Ｃに配置していればよいので、その幅はたとえば、巻止めテープ３０を加締め部１８Ｂ、１８Ｃの幅以上として、コンデンサ素子６の加締め部１８Ｂ、１８Ｃに相当する部分のみに分割して配置してもよい。このようにすれば、巻止めテープ３０の幅をコンデンサ素子６の長さによって変える必要がなく、様々な長さのコンデンサ素子６に対応することができるし、巻止めテープ３０の使用量の削減など、材料費の削減効果も期待できる。
【００６５】
(9) 上記実施の形態では、陽極箔２２を陰極箔２６より幅広にし、陽極箔２２の端部に生じているバリ２４を陰極箔２６と対向しないように配置し、バリ２４による短絡の可能性を低減させたが、これに限らない。陽極箔２２は陰極箔２６と同じ幅に設定され、陽極箔２２の端部に生じるバリ２４を陰極箔２６と交差しない方向にむければよい。陽極箔２２は、たとえば製造処理において、バリ２４が生じた部分またはその可能性がある部分について、コンデンサ素子６の底面側に変形させればよい。これによりバリ２４は、陽極箔２２と平行になり、陰極箔２６側に向かないので、短絡の可能性が低減される。この場合においても、陽極箔２２の端面を加締め位置から外すことで、陽極箔２２の端部に形成されたバリ２４が押圧されないので、陰極箔２６との短絡抑制の効果がより高められる。また、陽極箔２２と陰極箔２６とが対向せずコンデンサとして機能しない無効部分がないので、電気エネルギー損失を示す誘電正接、所謂ｔａｎδを抑制できる。
【００６６】
以上説明したように、本発明のコンデンサおよびその製造方法の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が本発明の範囲に含まれることは言うまでもない。
【産業上の利用可能性】
【００６７】
本発明は、外装ケース内にコンデンサ素子を収納させ、その外装ケースの周面を押圧して加締めるコンデンサであり、陽極箔の端面部分を加締めないことで電極箔やセパレータの損傷を防止でき、コンデンサの信頼性維持が図れ、有用である。
【符号の説明】
【００６８】
２  コンデンサ
３  収納部
４  外装ケース
５  開口部
６  コンデンサ素子
８Ａ、８Ｂ  外部端子
１０  封口体
１２  貫通孔
１４  径大部
１６Ａ、１６Ｂ  接続部
１８、１８Ａ、１８Ｂ、１８Ｃ  加締め部
２０Ａ、２０Ｂ  端面
２２  陽極箔
２４  バリ
２６  陰極箔
２８  セパレータ
３０  巻止めテープ
【図１】
2016046388.tif 000003
【図２】
2016046388.tif 000004
【図３】
2016046388.tif 000005
【図４】
2016046388.tif 000006